(57)【要約】【課題】マイコンにより電力供給先を選択制御する構成において、予備電源の交換時においても非常灯を点灯させることが可能な警報器を提供する。【解決手段】ガス警報器１は、予備電源２０を備えると共に、ガスセンサ１０からの信号に基づいて監視領域内に異常状態が発生していると判断した場合に警報を発するものであり、外部電源ＥＰＳからの電力供給が断たれた停電状態であるかを判断すると共に、停電状態であると判断したときには予備電源２０からの電力により白色ＬＥＤ１４Ｗを点灯させるマイコン１１を備えている。マイコン１１は、初期状態においてオンとなるスイッチ２２を介して予備電源２０に接続され、初期状態にて外部電源ＥＰＳ及び予備電源２０の双方からの電力によって起動可能とされており、停電状態でないと判断したときにはスイッチ２２をオフに制御して予備電源２０からの電力供給を停止させる。【選択図】図１
2020102085.tif 000002
【特許請求の範囲】
【請求項１】
予備電源を備えると共に、監視センサからの信号に基づいて監視領域内に異常状態が発生していると判断した場合に警報を発する警報器において、
点灯可能な照明手段と、
外部電源からの電力供給が断たれた停電状態であるかを判断すると共に、前記停電状態であると判断したときには前記予備電源からの電力により前記照明手段を点灯させるマイコンと、を備え、
前記マイコンは、初期状態においてオンとなるスイッチを介して前記予備電源に接続されて、初期状態にて外部電源及び前記予備電源の双方からの電力によって起動可能とされており、前記停電状態でないと判断したときには前記スイッチをオフに制御して前記予備電源からの電力供給を停止させる
ことを特徴とする警報器。
【請求項２】
前記予備電源の昇圧を行う昇圧回路をさらに備え、
前記マイコンは、前記停電状態であると判断した場合、前記昇圧回路により前記予備電源の昇圧が行われた電力によって起動する
ことを特徴とする請求項１に記載の警報器。
【請求項３】
前記マイコンは、前記停電状態でないと判断したときには前記予備電源からの電力供給を停止させると共に、前記昇圧回路の動作を停止させる
ことを特徴とする請求項２に記載の警報器。
【発明の詳細な説明】
【技術分野】
【０００１】
本発明は、警報器に関する。
【背景技術】
【０００２】
従来、停電時に非常照明となる非常灯機能付きの火災報知器が開示されている。この火災報知器は、商用電源（外部電源）からの電力供給が断たれた場合に、内蔵される電池（予備電源）に基づいて非常照明を点灯させるようになっている。この火災警報器によれば、災害等の停電時において警報器を非常灯として使用することができる。
【先行技術文献】
【特許文献】
【０００３】
【特許文献１】特開２００５−２９３３０８号公報
【発明の概要】
【発明が解決しようとする課題】
【０００４】
ここで、特許文献１に記載の警報器は、マイコンに制御されずに停電時において自動的に接点を電池側に切り替える自動切換回路を備えている。しかし、電力の供給先をマイコンの制御によって選択する場合には、以下の構成が想定されて以下の問題が生じ得てしまう。
【０００５】
まず、外部電源からの電力によってマイコンが起動する警報器が想定される。この警報器は、各家庭等に設置されて外部電源から電力が供給されるとマイコンが起動して監視領域における異常状態の発生を監視する。この監視状態においてマイコンは、停電検出回路からの信号によって外部電源からの電圧が低下するかを判断する。マイコンは、外部電源からの電圧が低下したと判断した場合、例えば自己が動作できなくなる電圧まで低下してしまう前に、電力の供給先を予備電源側に切り替える。
【０００６】
ここで、例えば災害が長期に亘って非常灯を長く使用した場合には予備電源が完全消費されてしまうことがある。予備電源が完全消費されてしまうと、予備電源を交換（交換には、充電可能な予備電源を取り出して充電した後に再度警報器に内蔵させる場合を含む）することとなるが、上記の如く初期状態の警報器においてマイコンは外部電源からの電力によって起動するため、予備電源を交換してもマイコンが起動せず電力の供給先が予備電源に切り替えられることなく、非常灯は点灯しなくなってしまう。
【０００７】
本発明は、このような問題を解決するためになされたものであり、その目的とするところは、マイコンにより電力供給先を選択制御する構成において、予備電源の交換時においても非常灯を点灯させることが可能な警報器を提供することにある。
【課題を解決するための手段】
【０００８】
本発明の警報器は、予備電源を備えると共に、監視センサからの信号に基づいて監視領域内に異常状態が発生していると判断した場合に警報を発するものであり、外部電源からの電力供給が断たれた停電状態であるかを判断すると共に、停電状態であるときには予備電源からの電力により照明手段を点灯させるマイコンを備えている。マイコンは、初期状態においてオンとなるスイッチを介して予備電源に接続されて、初期状態にて外部電源及び予備電源の双方からの電力によって起動可能とされており、外部電源からの電力供給が断たれていないと判断したときにはスイッチをオフに制御して予備電源からの電力供給を停止させる。
【発明の効果】
【０００９】
本発明の警報器によれば、マイコンは、初期状態においてオンとなるスイッチを介して予備電源に接続されて、初期状態にて外部電源及び予備電源の双方からの電力によって起動可能とされ、外部電源からの電力供給が断たれていないと判断したときにはスイッチをオフに制御して予備電源からの電力供給を停止させる。このため、予備電源を消費してしまい予備電源を交換した場合であっても、マイコンは初期状態においてオンとなるスイッチを介して予備電源に接続されていることから予備電源によって起動し、停電状態を判断して照明手段を点灯させることとなる。従って、マイコンにより電力供給先を選択制御する構成において、予備電源の交換時においても非常灯を点灯させることができる。
【図面の簡単な説明】
【００１０】
【図１】本発明の実施形態に係るガス警報器を示すブロック図である。
【図２】本実施形態に係るガス警報器のマイコンによって実行される処理を示すフローチャートである。
【発明を実施するための形態】
【００１１】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１２】
図１は、本発明の実施形態に係るガス警報器を示すブロック図である。なお、以下ではガス警報器を警報器の一例として説明するが、警報器はガス警報器に限らず、火災警報器、ガス火災警報器、及び人感警報器等の他の種類の警報器であってもよい。
【００１３】
図１に示すガス警報器（警報器）１は、ガスセンサ（監視センサの一例）１０を備え、ガスセンサ１０からの信号に基づいて監視領域内にガス漏れや不完全燃焼（異常状態の一例）が発生していると判断した場合に警報を発するものである。
【００１４】
このようなガス警報器１は、マイコン１１と、照度センサ１２と、ＬＥＤ駆動部１３と、複数のＬＥＤ１４と、スピーカ駆動部１５と、スピーカ１６とを備えている。マイコン１１は、ガス警報器１の全体を制御するものであって、検出処理部１１ａと、警報処理部１１ｂとを備えている。
【００１５】
検出処理部１１ａは、ガスセンサ１０からの信号に基づいて検知対象ガスのガス濃度を検出するものである。また、検出処理部１１ａは、照度センサ１２からの信号に基づいて周囲照度を検出するものでもある。
【００１６】
警報処理部１１ｂは、検出処理部１１ａにより所定濃度以上のガス濃度が検出された場合に異常状態であると判断して、警報処理を実行するものである。この際、警報処理部１１ｂは、ＬＥＤ駆動部１３とスピーカ駆動部１５とを駆動させて、複数のＬＥＤ１４の少なくとも１つを点灯（点滅を含む）させると共にスピーカ１６から警報音声を出力させる。
【００１７】
さらに、ガス警報器１は、差込プラグ１７と、電源部１８と、停電検知部１９と、予備電源２０と、昇圧回路２１と、スイッチ２２と、予備電源停止部２３とを備えている。
【００１８】
差込プラグ１７は、商用交流電源である外部電源ＥＰＳとの接続部であり、壁面等に設置されて外部電源ＥＰＳと電気的に接続されたプラグ受けＰＲに対して挿抜可能とされている。
【００１９】
電源部１８は、外部電源ＥＰＳからの交流電力を直流電力に変換したり調圧を行ったりするものである。停電検知部１９は、外部電源ＥＰＳからの電力供給が遮断されて停電状態となった場合に、その旨の信号をマイコン１１に出力するものである。また、上記マイコン１１は、停電判断部１１ｃを備えている。停電判断部１１ｃは、停電検知部１９からの信号に基づいて現在が停電状態であるかを判断するものである。
【００２０】
予備電源２０は、ガス警報器１に内蔵される電力供給源であって、例えば乾電池等の一次電池等を用いることができる。なお、予備電源２０には二次電池が用いられてもよい。昇圧回路２１は、予備電源２０を昇圧してマイコン１１での動作に適した電圧とするものである。
【００２１】
スイッチ２２は、予備電源２０とマイコン１１との間に介在するものであり、このスイッチ２２がオン状態でマイコン１１に予備電源２０の電力が供給され、スイッチ２２がオフ状態で電力の供給が遮断される。スイッチ２２は初期状態でオンとなるものであり、例えばノーマリークローズスイッチにより構成されている。
【００２２】
予備電源停止部２３は、マイコン１１によって制御されるものであり、停電判断部１１ｃにより停電状態でないと判断された場合、すなわち外部電源ＥＰＳからの電力供給が断たれていないときに、マイコン１１からの指示を受けてスイッチ２２をオフに制御して予備電源２０からの電力供給を停止させるものである。一方、停電判断部１１ｃにより停電状態であると判断されたときにはマイコン１１からの上記指示がない。このため、予備電源停止部２３はスイッチ２２をオフ制御することなく予備電源２０からの電力をマイコン１１に供給させることとなる。
【００２３】
さらに、マイコン１１は非常灯処理部１１ｄを備えている。非常灯処理部１１ｄは、停電判断部１１ｃにより停電状態であると判断され、予備電源２０から電力供給を受けている状態において、ＬＥＤ駆動部１３を制御して複数のＬＥＤ１４のうち白色ＬＥＤ（照明手段）１４Ｗを点灯させる。この白色ＬＥＤ１４Ｗが非常灯として機能することとなる。
【００２４】
また、マイコン１１は、停電判断部１１ｃにより停電状態であると判断され、予備電源２０から電力供給を受けている状態において、検出処理部１１ａ（但し照度センサ１２からの信号に基づく検出を除く）及び警報処理部１１ｂによる処理の実行を停止する。これにより、ガス濃度検出や警報実行について予備電源２０の電力を消費することなく、非常灯としての使用時間の長期化を図るようにしている。
【００２５】
加えて、ガス警報器１は操作スイッチ２４を備えている。非常灯処理部１１ｄは、予備電源２０から電力供給を受けている場合に、操作スイッチ２４が操作されると白色ＬＥＤ１４Ｗを点灯させたり消灯させたりする。また、非常灯処理部１１ｄは、照度センサ１２により検出された照度が所定値以上である場合には、白色ＬＥＤ１４Ｗを消灯させる制御を実行する。
【００２６】
図２は、本実施形態に係るガス警報器１のマイコン１１によって実行される処理を示すフローチャートである。図２に示す処理はマイコン１１が起動されることで開始される。マイコン１１の起動は、差込プラグ１７がプラグ受けＰＲに差し込まれて外部電源ＥＰＳからの電力が供給されることにより、又は、外部電源ＥＰＳからの電力が供給されていなくとも初期状態においてスイッチ２２がオンされていることで予備電源２０からの電力が供給されることにより行われる。
【００２７】
図２に示す処理が開始されると、マイコン１１の停電判断部１１ｃは、停電検知部１９からの信号に基づいて外部電源ＥＰＳがオン状態であるかを判断する（Ｓ１）。外部電源ＥＰＳがオン状態でない場合（Ｓ１：ＮＯ）、すなわち予備電源２０によりマイコン１１が起動した場合、処理はステップＳ８に移行する。
【００２８】
一方、外部電源ＥＰＳがオン状態である場合（Ｓ１：ＹＥＳ）、マイコン１１は予備電源２０の供給を停止させる（Ｓ２）。この処理においてマイコン１１は、予備電源停止部２３を動作させてスイッチ２２をオフ制御する。また、マイコン１１は、昇圧回路２１についても同様にオフ制御する。
【００２９】
その後、マイコン１１は、ガス警報器１として通常の動作を実行させる（Ｓ３）。すなわち、マイコン１１は、異常状態の監視を行うこととなる。
【００３０】
次いで、マイコン１１の停電判断部１１ｃは、停電検知部１９からの信号に基づいて停電状態となったかを判断する（Ｓ４）。停電判断部１１ｃが停電状態でないと判断した場合（Ｓ４：ＮＯ）、処理はステップＳ３に移行する。
【００３１】
停電判断部１１ｃが停電状態であると判断した場合（Ｓ４：ＹＥＳ）、マイコン１１は、予備電源２０の供給停止を解除する（Ｓ５）。すなわち、マイコン１１は予備電源停止部２３へのオフ指令を解除する。これにより、スイッチ２２がオン状態へ移行する。また、マイコン１１は昇圧回路２１の動作停止状態についても解除する。
【００３２】
次いで、マイコン１１は、予備電源２０から電力の供給を受け付けると、ガス警報器１としての動作を停止させる（Ｓ６）。この際、検出処理部１１ａ（但し照度センサ１２からの信号に基づく検出を除く）及び警報処理部１１ｂによる処理の実行が停止させられる。
【００３３】
その後、マイコン１１は、スピーカ駆動部１５を駆動させて、スピーカ１６から停電状態となった旨の停電メッセージを鳴動させる（Ｓ７）。次に、マイコン１１の非常灯処理部１１ｄはガス警報器１を非常灯として動作させる（Ｓ８）。この処理において非常灯処理部１１ｄは、ＬＥＤ駆動部１３を駆動させて白色ＬＥＤ１４Ｗを点灯させる。
【００３４】
次いで、マイコン１１の停電判断部１１ｃは、停電検知部１９からの信号に基づいて停電状態から復帰した復電状態となったかを判断する（Ｓ９）。停電判断部１１ｃが復電状態でないと判断した場合（Ｓ９：ＮＯ）、処理はステップＳ８に移行する。
【００３５】
停電判断部１１ｃが復電状態であると判断した場合（Ｓ９：ＹＥＳ）、マイコン１１は予備電源２０の供給を停止させる（Ｓ１０）。この処理においてマイコン１１は、予備電源停止部２３を動作させてスイッチ２２をオフ制御する。また、マイコン１１は、昇圧回路２１についても同様にオフ制御する。
【００３６】
次に、マイコン１１は、図２に示す処理が予備電源２０からの電力によって開始したかを判断する（Ｓ１１）。予備電源２０からの電力によって開始したとマイコン１１が判断した場合（Ｓ１１：ＹＥＳ）、処理はステップＳ３に移行する。
【００３７】
一方、予備電源２０からの電力によって開始していないとマイコン１１が判断した場合（Ｓ１１：ＮＯ）、すなわち外部電源ＥＰＳからの電力によって処理が開始した場合、ガス警報器１には、外部電源ＥＰＳからの電力が供給された後に、停電状態を経て、再度外部電源ＥＰＳからの電力が供給されたこととなる。この場合、マイコン１１は、スピーカ駆動部１５を駆動させて、スピーカ１６から復電メッセージを鳴動させる（Ｓ１２）。その後、処理はステップＳ３に移行する。
【００３８】
なお、図２に示す処理は、外部電源ＥＰＳからの電力が供給されず、予備電源２０の電力が消費されてしまうまで、実行され続けることとなる。
【００３９】
このようにして、本実施形態に係るガス警報器１によれば、マイコン１１は、初期状態においてオンとなるスイッチ２２を介して予備電源２０に接続されて、初期状態にて外部電源ＥＰＳ及び予備電源２０の双方からの電力によって起動可能とされ、外部電源ＥＰＳからの電力供給が断たれていないときにはスイッチ２２をオフに制御して予備電源２０からの電力供給を停止させる。このため、予備電源２０を消費してしまい予備電源２０を交換した場合であっても、マイコン１１は初期状態においてオンとなるスイッチ２２を介して予備電源２０に接続されていることから予備電源２０によって起動し、停電状態を判断して白色ＬＥＤ１４Ｗを点灯させることとなる。従って、マイコン１１により電力供給先を選択制御する構成において、予備電源２０の交換時においても非常灯を点灯させることができる。
【００４０】
特に、特許文献１においては自動切替回路を備え、自動切替回路が接点を外部電源側か予備電源側かに選択的に切り替えるようになっている。このため、停電検知回路が故障した場合には自動切替回路が作動せず非常灯を使用できなくなる。しかし、本実施形態に係るガス警報器１はスイッチ２２が初期状態でオンとされるものであり、且つ、予備電源２０のために設けられているものであり、外部電源ＥＰＳ側か予備電源２０側かを選択的に切り替えるものではない。よって、停電検知の結果によらず、予備電源２０からの電力がまずマイコン１１に供給されるため、停電検知の結果に左右されず停電検知部１９の故障時においても非常灯を使用することができる。
【００４１】
また、マイコン１１は、外部電源ＥＰＳからの電力供給が断たれた停電状態であると判断した場合、昇圧回路２１により予備電源２０の昇圧が行われた電力によって起動するため、予備電源２０がマイコン１１を動作させるには不充分な電圧しか得られないものであっても適切にマイコン１１を起動させることができる。
【００４２】
また、マイコン１１は、外部電源ＥＰＳからの電力供給が断たれていないときには予備電源２０からの電力供給を停止させると共に、昇圧回路２１の動作を停止させる。このため、予備電源２０がマイコン１１を動作させるには不充分な電圧しか得られないものであり昇圧回路２１を備える場合において、昇圧回路２１の動作を適切に停止させることができる。
【００４３】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。さらに、可能な範囲で公知又は周知の技術を組み合わせてもよい。
【００４４】
例えば、上記実施形態においてガス警報器１は、停電時や復電時にメッセージを鳴動させているが、これに限らず、メッセージを鳴動させなくともよいし、複数のＬＥＤ１４等の表示により外部伝達するようにしてもよい。
【００４５】
さらに、本実施形態に係るガス警報器１は、予備電源２０用に昇圧回路２１を備えているが、これに限らず、昇圧回路２１を備えず、マイコン１１を起動させるのに適した電圧が得られる予備電源２０を搭載してもよい。
【符号の説明】
【００４６】
１      ：ガス警報器（警報器）
１０    ：ガスセンサ（監視センサ）
１１    ：マイコン
１１ａ  ：検出処理部
１１ｂ  ：警報処理部
１１ｃ  ：停電判断部
１１ｄ  ：非常灯処理部
１２    ：照度センサ
１３    ：ＬＥＤ駆動部
１４    ：複数のＬＥＤ
１４Ｗ  ：白色ＬＥＤ（照明手段）
１５    ：スピーカ駆動部
１６    ：スピーカ
１７    ：差込プラグ
１８    ：電源部
１９    ：停電検知部
２０    ：予備電源
２１    ：昇圧回路
２２    ：スイッチ
２３    ：予備電源停止部
２４    ：操作スイッチ
ＥＰＳ  ：外部電源
ＰＲ    ：プラグ受け
【図１】
2020102085.tif 000003
【図２】
2020102085.tif 000004